(57)【特許請求の範囲】
【請求項１】
複数の変調方式による情報を時分割多重することにより、少なくとも第１の階層伝送と第２の階層伝送を含むように複数に階層的伝送される情報を受信する階層変調放送受信装置において、
前記階層的伝送された階層変調情報を受信する受信手段と、
前記受信手段により受信した前記階層変調情報を各階層に応じてそれぞれ復調する復調手段と、
前記復調手段にて復調された前記階層変調情報を再生する再生手段と、
前記復調手段による復調情報が所定の条件を満たすか否かに基づいて、前記第１の階層伝送を受信する状態から前記第２の階層伝送を受信する状態に遷移させる第１の遷移を行うか、前記第２の階層伝送を受信する状態から前記第１の階層伝送を受信する状態に遷移させる第２の遷移を行うかを決定する階層変調遷移決定手段と、
変更された前記所定の条件を記憶する記憶手段と
を備え、
前記階層変調遷移決定手段は、
前記第１の遷移と前記第２の遷移の所定時間内の遷移回数に応じて、前記所定の条件を変更し、
前記所定の条件が変更された後では、変更された前記所定の条件に基づいて決定を行い、
前記第１の階層伝送は前記第２の階層伝送に比して伝送レートが高く、
前記復調情報はＣ／Ｎ（搬送波電力対雑音電力比）であり、
前記第１の階層伝送による階層変調情報受信状態においてはＣ／Ｎ（搬送波電力対雑音電力比）が第１の値を下回ったとき前記第１の遷移を行い、
前記第２の階層伝送による階層変調情報受信状態（低階層変調情報受信状態）においてはＣ／Ｎ（搬送波電力対雑音電力比）が前記第１の値より大きな第２の値を上回ったとき前記第２の遷移を行うものであり、
所定時間内に所定回数以上前記第１の遷移と前記第２の遷移が起こったとき、前記第２の値をさらに大きな値に更新して前記更新された第２の値を前記記憶手段に記憶し、その後の遷移時に前記第２の値に替えて前記更新された第２の値を用いる
ことを特徴とする階層変調放送受信装置。
【請求項２】
複数の変調方式による情報を時分割多重することにより、少なくとも第１の階層伝送と第２の階層伝送を含むように複数に階層的伝送される情報を受信する階層変調放送受信装置において、
前記階層的伝送された階層変調情報を受信する受信手段と、
前記受信手段により受信した前記階層変調情報を各階層に応じてそれぞれ復調する復調手段と、
前記復調手段にて復調された前記階層変調情報を再生する再生手段と、
前記復調手段による復調情報が所定の条件を満たすか否かに基づいて、前記第１の階層伝送を受信する状態から前記第２の階層伝送を受信する状態に遷移させる第１の遷移を行うか、前記第２の階層伝送を受信する状態から前記第１の階層伝送を受信する状態に遷移させる第２の遷移を行うかを決定する階層変調遷移決定手段と、を備え、
前記階層変調遷移決定手段は、
前記第１の遷移と前記第２の遷移の所定時間内の遷移回数に応じて、前記所定の条件を変更し、
前記第１の階層伝送は前記第２の階層伝送に比して伝送レートが高く、
前記復調情報はＣ／Ｎ（搬送波電力対雑音電力比）であり、
前記第１の階層伝送による階層変調情報受信状態（高階層変調情報受信状態）においてはＣ／Ｎ（搬送波電力対雑音電力比）が第１の期間以上にわたって第１の値を下回ったとき前記第１の遷移を行い、
前記第２の階層伝送による階層変調情報受信状態（低階層変調情報受信状態）においてはＣ／Ｎ（搬送波電力対雑音電力比）が第２の期間以上にわたって前記第１の値と同じかあるいはより大きな第２の値を上回ったとき前記第２の遷移を行うものであり、
所定時間内に所定回数以上前記第１の遷移と前記第２の遷移が起こったとき、前記第１の期間および前記第２の期間をさらに長い値に更新して前記更新された第１の期間および第２の期間の値を記憶手段に記憶し、その後の遷移時に前記第１の期間および第２の期間の値に替えて前記更新された第１の期間および第２の期間の値を用いる
ことを特徴とする階層変調放送受信装置。
【請求項３】
請求項２記載の階層変調放送受信装置において、
前記第２の期間は、前記第１の期間より長いことを特徴とする階層変調放送受信装置。
【請求項４】
請求項２記載の階層変調放送受信装置において、
所定時間内に所定回数以上前記第１の遷移と前記第２の遷移が起こったとき、前記第１の期間および前記第２の期間をさらに長い値に更新して前記更新された第１の期間および第２の期間の値を記憶手段に記憶し、その後の遷移時に前記第１の期間および第２の期間の値に替えて前記更新された第１の期間および第２の期間の値を用いることを特徴とする階層変調放送受信装置。
【請求項５】
複数の変調方式による情報を時分割多重することにより、少なくとも第１の階層伝送と第２の階層伝送を含むように複数に階層的伝送される情報を受信する階層変調放送受信方法において、
前記階層的伝送された階層変調情報を受信する受信ステップと、
前記受信ステップにより受信した前記階層変調情報を各階層に応じてそれぞれ復調する復調ステップと、
前記復調ステップにて復調された前記階層変調情報を再生する再生ステップと、
前記復調ステップによる復調情報が所定の条件を満たすか否かに基づいて、前記第１の階層伝送を受信する状態から前記第２の階層伝送を受信する状態に遷移させる第１の遷移を行うか、前記第２の階層伝送を受信する状態から前記第１の階層伝送を受信する状態に遷移させる第２の遷移を行うかを決定する階層変調遷移決定ステップと、
変更された前記所定の条件を記憶する記憶ステップと
を有し、
前記階層変調遷移決定ステップは、
前記第１の遷移と前記第２の遷移の所定時間内の遷移回数に応じて、前記所定の条件を変更し、
前記所定の条件が変更された後では、変更された前記所定の条件に基づいて決定を行い、
前記第１の階層伝送は前記第２の階層伝送に比して伝送レートが高く、
前記復調情報はＣ／Ｎ（搬送波電力対雑音電力比）であり、
前記第１の階層伝送による階層変調情報受信状態においてはＣ／Ｎ（搬送波電力対雑音電力比）が第１の値を下回ったとき前記第１の遷移を行い、
前記第２の階層伝送による階層変調情報受信状態（低階層変調情報受信状態）においてはＣ／Ｎ（搬送波電力対雑音電力比）が前記第１の値より大きな第２の値を上回ったとき前記第２の遷移を行うものであり、
所定時間内に所定回数以上前記第１の遷移と前記第２の遷移が起こったとき、前記第２の値をさらに大きな値に更新して前記更新された第２の値を前記記憶手段に記憶し、その後の遷移時に前記第２の値に替えて前記更新された第２の値を用いる
ことを特徴とする階層変調放送受信方法。
【請求項６】
複数の変調方式による情報を時分割多重することにより、少なくとも第１の階層伝送と第２の階層伝送を含むように複数に階層的伝送される情報を受信する階層変調放送受信方法において、
前記階層的伝送された階層変調情報を受信する受信ステップと、
前記受信ステップにより受信した前記階層変調情報を各階層に応じてそれぞれ復調する復調ステップと、
前記復調ステップにて復調された前記階層変調情報を再生する再生ステップと、
前記復調ステップによる復調情報が所定の条件を満たすか否かに基づいて、前記第１の階層伝送を受信する状態から前記第２の階層伝送を受信する状態に遷移させる第１の遷移を行うか、前記第２の階層伝送を受信する状態から前記第１の階層伝送を受信する状態に遷移させる第２の遷移を行うかを決定する階層変調遷移決定ステップと、を有し、
前記階層変調遷移決定ステップは、
前記第１の遷移と前記第２の遷移の所定時間内の遷移回数に応じて、前記所定の条件を変更し、
前記第１の階層伝送は前記第２の階層伝送に比して伝送レートが高く、
前記復調情報はＣ／Ｎ（搬送波電力対雑音電力比）であり、
前記第１の階層伝送による階層変調情報受信状態（高階層変調情報受信状態）においてはＣ／Ｎ（搬送波電力対雑音電力比）が第１の期間以上にわたって第１の値を下回ったとき前記第１の遷移を行い、
前記第２の階層伝送による階層変調情報受信状態（低階層変調情報受信状態）においてはＣ／Ｎ（搬送波電力対雑音電力比）が第２の期間以上にわたって前記第１の値と同じかあるいはより大きな第２の値を上回ったとき前記第２の遷移を行うものであり、
所定時間内に所定回数以上前記第１の遷移と前記第２の遷移が起こったとき、前記第１の期間および前記第２の期間をさらに長い値に更新して前記更新された第１の期間および第２の期間の値を記憶ステップに記憶し、その後の遷移時に前記第１の期間および第２の期間の値に替えて前記更新された第１の期間および第２の期間の値を用いる
ことを特徴とする階層変調放送受信方法。
【発明の詳細な説明】
【０００１】
【発明の属する技術分野】
本発明は、例えば、複数の変調方式により階層的伝送される情報を受信する階層変調放送受信装置及び階層変調放送受信方法に関するものである。
【０００２】
【従来の技術】
特に、１０ＧＨｚ帯やそれ以上の高い周波数を使用するデジタルテレビジョン放送では、一般には平面波の真空中の電波伝搬理論が十分適用できるが、電波伝搬路の長さからすればほんのわずかといえる大気中の降雨によって、電波の減衰や散乱による干渉など、さまざまな通信品質の劣化が起こる。
【０００３】
降雨減衰は、電波が雨滴による吸収および散乱によって本来晴天時に受信できる電力より減衰する現象である。通常、降雨減衰は晴天時に受信される受信強度と降雨時の受信強度の差をデシベル［ｄＢ］単位で示す。雨滴は落下時の大気との相互作用で、球体ではなく、例えばおそなえもちのような形状で落下してくることが知られている。その結果、直線偏波時には水平偏波の電波と垂直偏波の電波とで受ける降雨減衰量が異なる。
【０００４】
降雨散乱は、送信アンテナビームが雨滴をよぎるとき、雨滴により電波の一部があらゆる方向に散乱する現象で、同一の周波数帯を使用する他の通信システムにとっては干渉波となる。特に、デジタルテレビジョン放送の場合、回線品質をあるレベル以上に保つ必要があり、地上送信局が降雨のときにも受信部の電力を一定に保つために、降雨減衰を補償するように送信電力を上げる送信電力制御を行うようにしている。この送信電力制御は、回線品質と変調方式で求められる必要Ｃ／Ｎ（Ｃａｒｒｉｅｒ  ｔｏ  Ｎｏｉｓｅ  ｒａｔｉｏ：搬送波電力対雑音電力比）にこの降雨減衰量を加えたＣ／Ｎが晴天時のＣ／Ｎとなるように送信電力を増加させるものである。その場合には、送信電力の増加によって降雨散乱の強度も強くなり他の通信システムへの干渉が増加する可能性があった。
【０００５】
このように降雨減衰により、放送信号のＣ／Ｎが悪化するため、良好な受信状態が得られない場合がある。特に、受信に必要なＣ／Ｎは、変調方式によって異なるものである。従って、送信に必要な周波数帯域あたりのビットレートと、その変調方式においてエラーフリーの状態での受信に必要なＣ／Ｎはいわゆるトレードオフの関係にあるため、デジタルテレビジョン放送局側では、たくさんの情報を送りたい一方で、降雨減衰に強い低いＣ／Ｎで受信可能な変調方式で送りたいという相反する要求がある。
【０００６】
そこで、デジタルテレビジョン放送局側では、通常放送と降雨減衰に対して強度を持つ変調方式の降雨対応放送の複数の変調方式による放送を同時に送信する階層変調放送を行うようにしている。これにより、受信装置側では、周波数帯域幅あたりのビットレートは高いが、高いＣ／Ｎを必要とする通常放送の高階層放送受信状態と、周波数帯域幅あたりのビットレートは低いが低いＣ／Ｎで受信可能な降雨対応放送の低階層放送受信状態とを、受信状態に応じて切り換えるようにしている。
【０００７】
図１３は、このような天候の変化とＣ／Ｎの値による遷移を示す図である。図１３において、Ｃ／Ｎの値ａ［ｄＢ］は、高階層放送受信状態と低階層放送受信状態との間で遷移するためのスレッシュホールドを示す。
【０００８】
まず、短時間に、遷移点１３１でＣ／Ｎの値がａ［ｄＢ］を下回ったとき高階層放送受信状態から低階層放送受信状態に遷移し、遷移点１３２でＣ／Ｎの値がａ［ｄＢ］を上回ったとき低階層放送受信状態から高階層放送受信状態に遷移し、遷移点１３３でＣ／Ｎの値がａ［ｄＢ］を下回ったとき高階層放送受信状態から低階層放送受信状態に遷移する。
【０００９】
次に、短時間に、遷移点１３４でＣ／Ｎの値がａ［ｄＢ］を上回ったとき低階層放送受信状態から高階層放送受信状態に遷移し、遷移点１３５でＣ／Ｎの値がａ［ｄＢ］を下回ったとき高階層放送受信状態から低階層放送受信状態に遷移し、遷移点１３６でＣ／Ｎの値がａ［ｄＢ］を上回ったとき低階層放送受信状態から高階層放送受信状態に遷移し、遷移点１３７でＣ／Ｎの値がａ［ｄＢ］を下回ったとき高階層放送受信状態から低階層放送受信状態に遷移し、遷移点１３８でＣ／Ｎの値がａ［ｄＢ］を上回ったとき低階層放送受信状態から高階層放送受信状態に遷移する。
【００１０】
【発明が解決しようとする課題】
しかし、上述した従来の階層変調放送においては、受信装置側で通常放送の高階層放送受信状態と、降雨対応放送の低階層放送受信状態との切り換えを自動で行う際に、状態遷移する自動切り換えのパラメータとしてＣ／Ｎを用いる方法があるが、この場合に自動切り換えのＣ／Ｎのスレッシュホールドは予め定められた１点のみであった。また、一方で、天候の変化は一様でないために、短時間に何度もこのスレッシュホールドより下降または上昇するため、受信装置側で通常放送の高階層放送受信状態と、降雨対応放送の低階層放送受信状態とが短時間に頻繁に切り換わり、ユーザーの安定した視聴を妨げることがあるという不都合があった。
【００１１】
また、天候の変化が受信装置の出荷時には予想できないために、自動切り換えのＣ／Ｎのスレッシュホールドを固定にすると、予想外のＣ／Ｎの変化により、やはり受信装置側で通常放送の高階層放送受信状態と、降雨対応放送の低階層放送受信状態とが短時間に頻繁に切り換わり、ユーザーの安定した視聴を妨げることがあるという不都合があった。
【００１２】
そこで、本発明は、かかる点に鑑みてなされたものであり、複数の変調方式により階層的伝送される情報を安定した状況で受信することができる階層変調放送受信装置を提供することを課題とする。
【００１３】
【課題を解決するための手段】
上記課題を解決するために、本発明の階層変調放送受信装置は、複数の変調方式による情報を時分割多重することにより、少なくとも第１の階層伝送と第２の階層伝送を含むように複数に階層的伝送される情報を受信する階層変調放送受信装置において、階層的伝送された階層変調情報を受信する受信手段と、受信手段により受信した階層変調情報を各階層に応じてそれぞれ復調する復調手段と、復調手段にて復調された階層変調情報を再生する再生手段と、復調手段による復調情報が所定の条件を満たすか否かに基づいて、第１の階層伝送を受信する状態から第２の階層伝送を受信する状態に遷移させる第１の遷移を行うか、第２の階層伝送を受信する状態から第１の階層伝送を受信する状態に遷移させる第２の遷移を行うかを決定する階層変調遷移決定手段と、を備え、階層変調遷移決定手段は、第１の遷移と第２の遷移の所定時間内の遷移回数に応じて、所定の条件を変更し、第１の階層伝送は第２の階層伝送に比して伝送レートが高く、復調情報はＣ／Ｎ（搬送波電力対雑音電力比）であり、第１の階層伝送による階層変調情報受信状態（高階層変調情報受信状態）においてはＣ／Ｎ（搬送波電力対雑音電力比）が第１の期間以上にわたって第１の値を下回ったとき第１の遷移を行い、第２の階層伝送による階層変調情報受信状態（低階層変調情報受信状態）においてはＣ／Ｎ（搬送波電力対雑音電力比）が第２の期間以上にわたって第１の値と同じかあるいはより大きな第２の値を上回ったとき第２の遷移を行うものであり、所定時間内に所定回数以上第１の遷移と第２の遷移が起こったとき、第１の期間および第２の期間をさらに長い値に更新して更新された第１の期間および第２の期間の値を記憶手段に記憶し、その後の遷移時に第１の期間および第２の期間の値に替えて更新された第１の期間および第２の期間の値を用いることを特徴とする。
【００１４】
従って本発明によれば、以下の作用をする。
受信手段でデジタルテレビジョン放送が受信され、伝搬損により減衰した信号を適正レベルまで増幅する。復調手段は増幅された受信信号を復調およびデコードして映像信号および音声信号を出力する。再生手段は復調手段から出力される映像信号および音声信号をそれぞれ映像表示および音声出力して再生する。
【００１５】
復調手段において、復調部は受信信号を復調してトランスポートストリームを出力する。演算器部は復調部により検出された復調情報に応じて低階層／高階層切換信号を階層変調遷移点生成手段により生成する。不揮発性メモリは低階層／高階層切換信号の生成のためのパラメータを記憶する。切換手段はトランスポートストリームを低階層／高階層切換信号により低階層または高階層のエレメンタリーストリームに分離、デコードして映像信号および音声信号を出力する。
【００１６】
【発明の実施の形態】
以下に、本発明の実施の形態を説明する。
本実施の形態の階層変調放送受信装置は、受信装置側で通常放送の高階層放送受信状態と、降雨対応放送の低階層放送受信状態との間を、Ｃ／Ｎの値により自動的に遷移するとき、遷移点のＣ／Ｎの値で高階層放送受信状態から低階層放送受信状態に遷移するときと、低階層放送受信状態から高階層放送受信状態に遷移するときとでＣ／Ｎの値にヒステリシス（Ｈｙｓｔｅｒｅｓｉｓ）を持たせるようにし、また、遷移に時間的制約を設けることにより、短時間の頻繁な遷移を抑制し、ユーザの安定した視聴を妨げないようにするものである。
【００１７】
図１は、本実施の形態の階層変調放送受信装置が適用されるデジタルテレビジョン放送受信機の構成を示すブロック図である。
デジタルテレビジョン放送受信機１は、デジタルテレビジョン放送受信用のアンテナ２と、アンテナ２で受信された伝搬損により減衰した信号を適正レベルまで増幅するＬＮＢ（Ｌｏｗ  Ｎｏｉｓｅ  Ｂｌｏｃｋ  ｄｏｗｎ  ｃｏｎｖｅｒｔｅｒ：低雑音増幅器）３と、ＬＮＢ３により増幅されたＩＦ（Ｉｎｔｅｒｍｅｄｉａｔｅ  Ｆｒｅｑｕｅｎｃｙ：中間周波）信号を復調およびデコードして映像信号Ｓ５および音声信号Ｓ６を出力するセットトップボックス４と、セットトップボックス４から出力される映像信号Ｓ５および音声信号Ｓ６を再生するモニター１２およびスピーカ１３とを有して構成される。
【００１８】
セットトップボックス４は、ＩＦ信号を復調してトランスポートストリームＳ１を出力する復調部５と、復調部５により検出されたＣ／Ｎ情報Ｓ２に応じて低階層／高階層切換信号Ｓ３を階層変調遷移点生成部１０により生成する演算器部７と、低階層／高階層切換信号Ｓ３の生成のためのパラメータ１１を記憶する不揮発性メモリ８と、トランスポートストリームＳ１を低階層／高階層切換信号Ｓ３により低階層または高階層のエレメンタリーストリームＳ４に分離するＤＥＭＵＸ（Ｄｅ−Ｍｕｌｔｉｐｌｅｘｉｎｇ  ｅｑｕｉｐｍｅｎｔ：多重分離装置）（分離機部）６と、エレメンタリーストリームＳ４をデコードして映像信号Ｓ５および音声信号Ｓ６を出力するデコーダ部９とを有して構成される。
【００１９】
上述したデジタルテレビジョン放送受信機１において、デジタルテレビジョン放送受信用のアンテナ２でデジタルテレビジョン放送が受信される。ＬＮＢ３は伝搬損により減衰した信号を適正レベルまで増幅する。セットトップボックス４はＬＮＢ３により増幅されたＩＦ信号を復調およびデコードして映像信号Ｓ５および音声信号Ｓ６を出力する。モニター１２およびスピーカ１３はセットトップボックス４から出力される映像信号Ｓ５および音声信号Ｓ６をそれぞれ映像表示および音声出力して再生する。
【００２０】
セットトップボックス４において、復調部５はＩＦ信号を復調してトランスポートストリームＳ１を出力する。演算器部７は復調部５により検出されたＣ／Ｎ情報Ｓ２に応じて低階層／高階層切換信号Ｓ３を階層変調遷移点生成部１０により生成する。不揮発性メモリ８は低階層／高階層切換信号Ｓ３の生成のためのパラメータ１１を記憶する。ＤＥＭＵＸ（分離機部）６はトランスポートストリームＳ１を低階層／高階層切換信号Ｓ３により低階層または高階層のエレメンタリーストリームＳ４に分離する。デコーダ部９はエレメンタリーストリームＳ４をデコードして映像信号Ｓ５および音声信号Ｓ６を出力する。
【００２１】
図２は、復調部の構成を示す図である。
図２において、復調部５は、ＩＦ信号の受信周波数を選択するチューナ２１と、選択された受信周波数のＩＦ信号をＴＣ８ＰＳＫ（Ｔｒｅｌｌｉｓ  Ｃｏｄｅｄ  Ｍｏｄｕｌａｔｉｏｎ  ８  Ｐｈａｓｅ  Ｓｈｉｆｔ  Ｋｅｙｉｎｇ）方式により復調する高階層（ＴＣ８ＰＳＫ）復調部２２と、選択された受信周波数のＩＦ信号をＱＰＳＫ（Ｑｕａｄｒａｔｕｒｅ  Ｐｈａｓｅ  Ｓｈｉｆｔ  Ｋｅｙｉｎｇ）またはＢＰＳＫ（Ｂｉｎｅｒｙ  Ｐｈａｓｅ  Ｓｈｉｆｔ  Ｋｅｙｉｎｇ）方式により復調する低階層（ＱＰＳＫ、ＢＰＳＫ）復調部２３と、復調された信号をビタビ復号器で復号し、デインターリーバ（Ｄｅ−ｉｎｔｅｒｌｅａｖｅｒ）を介して、さらに誤り訂正復号のためにＲＳ（リードソロモン）復号する復号部（ビタビ、デインターリーブ、ＲＳ）２４と、復号されたパケットのうち契約チャンネルのパケットのみスクランブルを解除するデスクランブラ２５とを有して構成される。
【００２２】
上述した復調部５において、チューナ２１はＩＦ信号の受信周波数を選択し、高階層（ＴＣ８ＰＳＫ）復調部２２は選択された受信周波数のＩＦ信号をＴＣ８ＰＳＫ方式により復調する。低階層（ＱＰＳＫ、ＢＰＳＫ）復調部２３は選択された受信周波数のＩＦ信号をＱＰＳＫまたはＢＰＳＫ方式により復調する。復号部（ビタビ、デインターリーブ、ＲＳ）２４は復調された信号をビタビ復号器で復号し、デインターリーバを介して、さらに誤り訂正復号のためにＲＳ（リードソロモン）復号する。デスクランブラ２５は復号されたパケットのうち契約チャンネルのパケットのみスクランブルを解除する。
【００２３】
ここで、ＴＣ８ＰＳＫ方式は、誤り訂正符号化と変調とを同時に行い、短い信号間のユークリッド距離を実質的に長くする符号化変調方式であり、例えば２／３畳み込み符号と８ＰＳＫを組み合わせ、８ＰＳＫにおける隣接シンボルの信号間距離の低下を補償することにより電力効率などの伝送特性をＱＰＳＫ方式よりも改善したものである。
【００２４】
図３は、デコーダ部の構成を示す図である。
図３において、デコーダ部９は、ＤＥＭＵＸ（分離機部）６により分離された高階層エレメンタリーストリームＳ１１のデコード処理を行う高階層デコーダ部３１と、ＤＥＭＵＸ（分離機部）６により分離された低階層エレメンタリーストリームＳ１２のデコード処理を行う低階層デコーダ部３２とを有して構成される。
【００２５】
高階層デコーダ部３１は、高階層エレメンタリーストリームＳ１１の映像部分を伸張処理するＭＰＥＧ（Ｍｏｖｉｎｇ  Ｐｉｃｔｕｒｅ  Ｅｘｐｅｒｔｓ  Ｇｒｏｕｐ）映像デコーダ３３と、伸張処理された映像データをＮＴＳＣ方式に変換して高階層映像信号Ｓ１３を出力するＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）変換部３４と、高階層エレメンタリーストリームＳ１１の音声部分を伸張処理するＭＰＥＧ音声デコーダ３５と、伸張処理されたデジタル音声データをアナログに変換して高階層音声信号Ｓ１４を出力するＤ／Ａコンバータ３６とを有して構成される。
【００２６】
低階層デコーダ部３２は、低階層エレメンタリーストリームＳ１２の映像部分を伸張処理するＭＰＥＧ映像デコーダ３７と、伸張処理された映像データをＮＴＳＣ方式に変換して低階層映像信号Ｓ１５を出力するＮＴＳＣ変換部３８と、低階層エレメンタリーストリームＳ１２の音声部分を伸張処理するＭＰＥＧ音声デコーダ３９と、伸張処理されたデジタル音声データをアナログに変換して低階層音声信号Ｓ１６を出力するＤ／Ａコンバータ４０とを有して構成される。
【００２７】
上述した高階層デコーダ部３１において、ＭＰＥＧ映像デコーダ３３は高階層エレメンタリーストリームＳ１１の映像部分を伸張処理する。ＮＴＳＣ変換部３４は伸張処理された映像データをＮＴＳＣ方式に変換して高階層映像信号Ｓ１３を出力する。ＭＰＥＧ音声デコーダ３５は高階層エレメンタリーストリームＳ１１の音声部分を伸張処理する。Ｄ／Ａコンバータ３６は伸張処理されたデジタル音声データをアナログに変換して高階層音声信号Ｓ１４を出力する。
【００２８】
上述した低階層デコーダ部３２において、ＭＰＥＧ映像デコーダ３７は低階層エレメンタリーストリームＳ１２の映像部分を伸張処理する。ＮＴＳＣ変換部３８は伸張処理された映像データをＮＴＳＣ方式に変換して低階層映像信号Ｓ１５を出力する。ＭＰＥＧ音声デコーダ３９は低階層エレメンタリーストリームＳ１２の音声部分を伸張処理する。Ｄ／Ａコンバータ４０は伸張処理されたデジタル音声データをアナログに変換して低階層音声信号Ｓ１６を出力する。
【００２９】
図４は、ＤＥＭＵＸ（分離機部）の構成による動作を示す図である。
図４において、図１に示した復調部５から出力される高階層および低階層のトランスポートストリームＳ１７は、例えば、Ｌ（低階層）、Ｌ（低階層）、Ｈ（高階層）・・・のように、各階層の情報が時分割多重されている。
【００３０】
ＤＥＭＵＸ（分離機部）６は、演算器部７からの低階層・高階層切換信号Ｓ３により内部の切換器の接点を高階層側または低階層側に切り換えて、入力される時分割多重化された高階層および低階層のトランスポートストリームＳ１７を高階層エレメンタリーストリームＳ１１または低階層エレメンタリーストリームＳ１２に分離して出力する。
【００３１】
ＤＥＭＵＸ（分離機部）６から出力される高階層エレメンタリーストリームＳ１１は、高階層側においてＨ（高階層）、Ｈ（高階層）・・・のように、高階層の情報のみが分離される。また低階層エレメンタリーストリームＳ１２は、低階層側においてＬ（低階層）、Ｌ（低階層）・・・のように、低階層の情報のみが分離される。
【００３２】
このように構成されたデジタルテレビジョン放送受信機の特有の階層変調遷移の動作を以下に説明する。
図５は遷移するＣ／Ｎの値にヒステリシスを持たせた場合を示す図である。図６は遷移するＣ／Ｎの値にヒステリシスを持たせた場合の動作を示すフローチャートである。
【００３３】
デジタルテレビジョン放送受信機１は、セットトップボックス４の演算器部７により、復調部５から供給されるＣ／Ｎ情報Ｓ２を常時監視する。図６において、ステップＳ１で、高階層放送受信時であるか否かを判断する。具体的には、演算器部７は、復調部５から供給されるＣ／Ｎ情報Ｓ２に応じて階層変調遷移点生成部１０により生成された高階層切換信号Ｓ３をＤＥＭＵＸ（分離機部）６に供給しているか否かを判断する。
【００３４】
ステップＳ１で高階層放送受信状態であると判断された場合にはステップＳ２へ進み、高階層放送受信状態でなく低階層放送受信状態と判断された場合にはステップＳ４へ進む。高階層放送受信時には、ステップＳ２で、Ｃ／Ｎの値がａ［ｄＢ］を下回ったか否かを判断する。具体的には、図５において、演算器部７は、Ｃ／Ｎの値が高階層放送受信状態から低階層放送受信状態への遷移のスレッシュホールドのａ［ｄＢ］を下回った時点を検知する。
【００３５】
ステップＳ２でＣ／Ｎの値がａ［ｄＢ］を下回ったときは、ステップＳ３で高階層放送受信状態から低階層放送受信状態へ遷移する。具体的には、図５において、演算器部７は、Ｃ／Ｎの値が高階層放送受信状態から低階層放送受信状態への遷移のスレッシュホールドのａ［ｄＢ］を下回った遷移点５１で、５３で示すように高階層放送受信状態から低階層放送受信状態へ遷移する。このとき、演算器部７は、復調部５から供給されるＣ／Ｎ情報Ｓ２により階層変調遷移点生成部１０により生成された低階層切換信号Ｓ３をＤＥＭＵＸ（分離機部）６に供給する。ＤＥＭＵＸ（分離機部）６は、演算器部７からの低階層切換信号Ｓ３により内部の切換器の接点を低階層側に切り換えて、入力される時分割多重化された高階層および低階層のトランスポートストリームＳ１７を低階層エレメンタリーストリームＳ１２に分離して出力する。
【００３６】
低階層放送受信状態では、ステップＳ４で、Ｃ／Ｎの値がａ＋ｂ［ｄＢ］を上回ったか否かを判断する。具体的には、図５において、演算器部７は、Ｃ／Ｎの値が低階層放送受信状態から高階層放送受信状態への遷移のスレッシュホールドのａ＋ｂ［ｄＢ］を上回った時点を検知する。
【００３７】
ステップＳ４でＣ／Ｎの値がａ＋ｂ［ｄＢ］を上回ったときは、ステップＳ５で低階層放送受信状態から高階層放送受信状態へ遷移する。具体的には、図５において、演算器部７は、Ｃ／Ｎの値が低階層放送受信状態から高階層放送受信状態への遷移のスレッシュホールドのａ＋ｂ［ｄＢ］を上回った遷移点５２で、５４で示すように低階層放送受信状態から高階層放送受信状態へ遷移する。このとき、演算器部７は、復調部５から供給されるＣ／Ｎ情報Ｓ２により階層変調遷移点生成部１０により生成された高階層切換信号Ｓ３をＤＥＭＵＸ（分離機部）６に供給する。ＤＥＭＵＸ（分離機部）６は、演算器部７からの高階層切換信号Ｓ３により内部の切換器の接点を高階層側に切り換えて、入力される時分割多重化された高階層および低階層のトランスポートストリームＳ１７を高階層エレメンタリーストリームＳ１１に分離して出力する。
【００３８】
そして、ステップＳ２へ戻って、ステップＳ２〜ステップＳ５までの判断および処理を繰り返す。
【００３９】
図７は、高階層／低階層の受信の変化点にＣ／Ｎの値のヒステリシスを設ける場合を示す。
これにより、図７において示すように、短時間に頻繁にＣ／Ｎの値が上下した場合にも、高階層放送受信状態７１から低階層放送受信状態７３への遷移７２のスレッシュホールドのａ［ｄＢ］と低階層放送受信状態７４から高階層放送受信状態７１への遷移７５のスレッシュホールドのａ＋ｂ［ｄＢ］とにヒステリシスを持たせたので、ａ［ｄＢ］とａ＋ｂ［ｄＢ］との間の区間が不感帯となるため、低階層放送受信状態７４ではａ［ｄＢ］を上回ってもさらにａ＋ｂ［ｄＢ］を上回らなければ、頻繁な低階層放送受信状態７３、７４と高階層放送受信状態７１との間の遷移７２、７５が起こらないようにすることができる。
【００４０】
また、上述において、演算器部７は、一定時間ｍ［ｓ］の間の遷移回数ｐ［回］をカウントして、このカウント回数が予め定められた一定の回数を上回ったとき、低階層放送受信状態から高階層放送受信状態への遷移のスレッシュホールドのａ＋ｂ［ｄＢ］のうちのｂ［ｄＢ］の値を大きくして、不揮発性メモリ８のパラメータ１１として記憶し、その後は新たに不揮発性メモリ８のパラメータ１１として記憶されたｂ［ｄＢ］の値を用いて上述した遷移を判定するようにする。
【００４１】
これにより、デジタルテレビジョン放送受信機の出荷時に想定していなかったような大きなＣ／Ｎの変化があった場合や、他の場所と比較してＣ／Ｎの値の変化が比較的大きい設置場所に設置されたときにおいても、短時間に頻繁な低階層放送受信状態と高階層放送受信状態との間の遷移を抑制するようにすることができる。
【００４２】
図８は遷移に時間的な制約を持たせた場合を示す図である。図９は遷移に時間的な制約を持たせた場合の動作を示すフローチャートである。
デジタルテレビジョン放送受信機１は、セットトップボックス４の演算器部７により、復調部５から供給されるＣ／Ｎ情報Ｓ２を常時監視する。図９において、ステップＳ１１で、高階層放送受信時であるか否かを判断する。具体的には、演算器部７は、復調部５から供給されるＣ／Ｎ情報Ｓ２に応じて階層変調遷移点生成部１０により生成された高階層切換信号Ｓ３をＤＥＭＵＸ（分離機部）６に供給しているか否かを判断する。
【００４３】
ステップＳ１１で高階層放送受信状態であると判断された場合にはステップＳ１２へ進み、高階層放送受信状態でなく低階層放送受信状態と判断された場合にはステップＳ１４へ進む。高階層放送受信時には、ステップＳ１２で、Ｃ／Ｎの値がａ［ｄＢ］を下回った時間がｓ［ｓ］続いたか否かを判断する。具体的には、図８において、演算器部７は、Ｃ／Ｎの値が高階層放送受信状態から低階層放送受信状態への遷移のスレッシュホールドのａ［ｄＢ］を下回った時間がｓ［ｓ］続いたことを検知する。
【００４４】
ステップＳ１２でＣ／Ｎの値がａ［ｄＢ］を下回った時間がｓ［ｓ］続いたときは、ステップＳ１３で高階層放送受信状態から低階層放送受信状態へ遷移する。具体的には、図８において、演算器部７は、Ｃ／Ｎの値が高階層放送受信状態から低階層放送受信状態への遷移のスレッシュホールドのａ［ｄＢ］を下回った時間がｓ［ｓ］続いた遷移点８１で、８３で右向きの矢印で示すように高階層放送受信状態から低階層放送受信状態へ遷移する。このとき、演算器部７は、復調部５から供給されるＣ／Ｎ情報Ｓ２により階層変調遷移点生成部１０により生成された低階層切換信号Ｓ３をＤＥＭＵＸ（分離機部）６に供給する。ＤＥＭＵＸ（分離機部）６は、演算器部７からの低階層切換信号Ｓ３により内部の切換器の接点を低階層側に切り換えて、入力される時分割多重化された高階層および低階層のトランスポートストリームＳ１７を低階層エレメンタリーストリームＳ１２に分離して出力する。
【００４５】
低階層放送受信状態では、ステップＳ１４で、Ｃ／Ｎの値がａ［ｄＢ］を上回った時間がｔ［ｓ］続いたか否かを判断する。具体的には、図８において、演算器部７は、Ｃ／Ｎの値が低階層放送受信状態から高階層放送受信状態への遷移のスレッシュホールドのａ［ｄＢ］を上回った時間がｔ［ｓ］続いたことを検知する。
【００４６】
ステップＳ１４でＣ／Ｎの値がａ［ｄＢ］を上回った時間がｔ［ｓ］続いたときは、ステップＳ１５で低階層放送受信状態から高階層放送受信状態へ遷移する。具体的には、図８において、演算器部７は、Ｃ／Ｎの値が低階層放送受信状態から高階層放送受信状態への遷移のスレッシュホールドのａ［ｄＢ］を上回った時間がｔ［ｓ］（＞ｓ［ｓ］）続いた遷移点８２で、８３で左向きの矢印で示すように低階層放送受信状態から高階層放送受信状態へ遷移する。このとき、演算器部７は、復調部５から供給されるＣ／Ｎ情報Ｓ２により階層変調遷移点生成部１０により生成された高階層切換信号Ｓ３をＤＥＭＵＸ（分離機部）６に供給する。ＤＥＭＵＸ（分離機部）６は、演算器部７からの高階層切換信号Ｓ３により内部の切換器の接点を高階層側に切り換えて、入力される時分割多重化された高階層および低階層のトランスポートストリームＳ１７を高階層エレメンタリーストリームＳ１１に分離して出力する。
【００４７】
そして、ステップＳ１２へ戻って、ステップＳ１２〜ステップＳ１５までの判断および処理を繰り返す。
【００４８】
これにより、短時間に頻繁にＣ／Ｎの値が上下した場合にも、高階層放送受信状態から低階層放送受信状態への遷移のスレッシュホールドのａ［ｄＢ］を下回った時間ｓ［ｓ］と低階層放送受信状態から高階層放送受信状態への遷移のスレッシュホールドのａ［ｄＢ］を上回った時間ｔ［ｓ］（＞ｓ［ｓ］）のように時間的制約を持たせたので、ａ［ｄＢ］において時間ｓ［ｓ］と時間ｔ［ｓ］（＞ｓ［ｓ］）との間の時間が不感帯となるため、低階層放送受信状態ではａ［ｄＢ］を上回った時間がｓ［ｓ］続いてもさらにａ［ｄＢ］を上回った時間がｔ［ｓ］（＞ｓ［ｓ］）続かなければ、頻繁な低階層放送受信状態と高階層放送受信状態との間の遷移が起こらないようにすることができる。
【００４９】
また、上述において、演算器部７は、一定時間ｍ［ｓ］の間の遷移回数ｐ［回］をカウントして、このカウント回数が予め定められた一定の回数を上回ったとき、低階層放送受信状態と高階層放送受信状態との間の遷移を示すスレッシュホールドのａ［ｄＢ］を下回った時間ｓ［ｓ］とスレッシュホールドのａ［ｄＢ］を上回った時間ｔ［ｓ］の時間的制約の値をそれぞれ大きくして、不揮発性メモリ８のパラメータ１１として記憶し、その後は新たに不揮発性メモリ８のパラメータ１１として記憶された時間ｓ［ｓ］および時間ｔ［ｓ］の時間的制約の値を用いて上述した遷移を判定するようにする。
【００５０】
これにより、デジタルテレビジョン放送受信機の出荷時に想定していなかったような緩やかに上下するＣ／Ｎの変化があった場合や、他の場所と比較してＣ／Ｎの値の変化が比較的緩やかに上下する設置場所に設置されたときにおいても、短時間に頻繁な低階層放送受信状態と高階層放送受信状態との間の遷移を抑制するようにすることができる。
【００５１】
図１０は遷移するＣ／Ｎの値にヒステリシスと時間的な制約を持たせた場合の組み合わせを示す図である。図１１は遷移するＣ／Ｎの値にヒステリシスと時間的な制約を持たせた場合の組み合わせの動作を示すフローチャートである。
【００５２】
デジタルテレビジョン放送受信機１は、セットトップボックス４の演算器部７により、復調部５から供給されるＣ／Ｎ情報Ｓ２を常時監視する。図１１において、ステップＳ２１で、高階層放送受信時であるか否かを判断する。具体的には、演算器部７は、復調部５から供給されるＣ／Ｎ情報Ｓ２に応じて階層変調遷移点生成部１０により生成された高階層切換信号Ｓ３をＤＥＭＵＸ（分離機部）６に供給しているか否かを判断する。
【００５３】
ステップＳ２１で高階層放送受信状態であると判断された場合にはステップＳ２２へ進み、高階層放送受信状態でなく低階層放送受信状態と判断された場合にはステップＳ２５へ進む。高階層放送受信時には、ステップＳ２２で、Ｃ／Ｎの値がａ［ｄＢ］を下回ったか否かを判断する。具体的には、図１０において、演算器部７は、Ｃ／Ｎの値が高階層放送受信状態から低階層放送受信状態への遷移のスレッシュホールドのａ［ｄＢ］を下回った時点を検知する。
【００５４】
ステップＳ２２でＣ／Ｎの値がａ［ｄＢ］を下回ったときは、ステップＳ２３で、Ｃ／Ｎの値がａ［ｄＢ］を下回った時間がｓ［ｓ］続いたか否かを判断する。具体的には、図１０において、演算器部７は、Ｃ／Ｎの値が高階層放送受信状態から低階層放送受信状態への遷移のスレッシュホールドのａ［ｄＢ］を下回った時間がｓ［ｓ］続いたことを検知する。
【００５５】
ステップＳ２３でＣ／Ｎの値がａ［ｄＢ］を下回った時間がｓ［ｓ］続いたときは、ステップＳ２４で高階層放送受信状態から低階層放送受信状態へ遷移する。具体的には、図１０において、演算器部７は、Ｃ／Ｎの値が高階層放送受信状態から低階層放送受信状態への遷移のスレッシュホールドのａ［ｄＢ］を下回った時間がｓ［ｓ］続いた遷移点１０１で、１０３で示すように高階層放送受信状態から低階層放送受信状態へ遷移する。このとき、演算器部７は、復調部５から供給されるＣ／Ｎ情報Ｓ２により階層変調遷移点生成部１０により生成された低階層切換信号Ｓ３をＤＥＭＵＸ（分離機部）６に供給する。ＤＥＭＵＸ（分離機部）６は、演算器部７からの低階層切換信号Ｓ３により内部の切換器の接点を低階層側に切り換えて、入力される時分割多重化された高階層および低階層のトランスポートストリームＳ１７を低階層エレメンタリーストリームＳ１２に分離して出力する。
【００５６】
低階層放送受信状態では、ステップＳ２５で、Ｃ／Ｎの値がａ＋ｂ［ｄＢ］を上回ったか否かを判断する。具体的には、図１０において、演算器部７は、Ｃ／Ｎの値が低階層放送受信状態から高階層放送受信状態への遷移のスレッシュホールドのａ＋ｂ［ｄＢ］を上回った時点を検知する。
【００５７】
ステップＳ２５でＣ／Ｎの値がａ＋ｂ［ｄＢ］を上回ったときは、ステップＳ２６で、Ｃ／Ｎの値がａ＋ｂ［ｄＢ］を上回った時間がｔ［ｓ］続いたか否かを判断する。具体的には、図１０において、演算器部７は、Ｃ／Ｎの値が低階層放送受信状態から高階層放送受信状態への遷移のスレッシュホールドのａ＋ｂ［ｄＢ］を上回った時間がｔ［ｓ］続いたことを検知する。
【００５８】
ステップＳ２６でＣ／Ｎの値がａ＋ｂ［ｄＢ］を上回った時間がｔ［ｓ］続いたときは、ステップＳ２７で低階層放送受信状態から高階層放送受信状態へ遷移する。具体的には、図１０において、演算器部７は、Ｃ／Ｎの値が低階層放送受信状態から高階層放送受信状態への遷移のスレッシュホールドのａ＋ｂ［ｄＢ］を上回った時間がｔ［ｓ］（＞ｓ［ｓ］）続いた遷移点１０２で、１０４で示すように低階層放送受信状態から高階層放送受信状態へ遷移する。このとき、演算器部７は、復調部５から供給されるＣ／Ｎ情報Ｓ２により階層変調遷移点生成部１０により生成された高階層切換信号Ｓ３をＤＥＭＵＸ（分離機部）６に供給する。ＤＥＭＵＸ（分離機部）６は、演算器部７からの高階層切換信号Ｓ３により内部の切換器の接点を高階層側に切り換えて、入力される時分割多重化された高階層および低階層のトランスポートストリームＳ１７を高階層エレメンタリーストリームＳ１１に分離して出力する。
【００５９】
そして、ステップＳ２２へ戻って、ステップＳ２２〜ステップＳ２７までの判断および処理を繰り返す。
【００６０】
これにより、短時間に頻繁にＣ／Ｎの値が上下した場合にも、高階層放送受信状態から低階層放送受信状態への遷移のスレッシュホールドのａ［ｄＢ］と低階層放送受信状態から高階層放送受信状態への遷移のスレッシュホールドのａ＋ｂ［ｄＢ］とにヒステリシスを持たせたので、ａ［ｄＢ］とａ＋ｂ［ｄＢ］との間の区間が不感帯となるため、低階層放送受信状態ではａ［ｄＢ］を上回ってもさらにａ＋ｂ［ｄＢ］を上回らなければならないと共に、高階層放送受信状態から低階層放送受信状態への遷移のスレッシュホールドのａ［ｄＢ］を下回った時間ｓ［ｓ］と低階層放送受信状態から高階層放送受信状態への遷移のスレッシュホールドのａ＋ｂ［ｄＢ］を上回った時間ｔ［ｓ］（＞ｓ［ｓ］）のように時間的制約を持たせたので、ａ［ｄＢ］とａ＋ｂ［ｄＢ］において時間ｓ［ｓ］と時間ｔ［ｓ］（＞ｓ［ｓ］）との間の時間が不感帯となるため、低階層放送受信状態ではａ［ｄＢ］を上回った時間がｓ［ｓ］続いてもさらにａ＋ｂ［ｄＢ］を上回った時間がｔ［ｓ］（＞ｓ［ｓ］）続かなければ、頻繁な低階層放送受信状態と高階層放送受信状態との間の遷移が起こらないようにすることができ、より柔軟に頻繁な遷移を抑制する制御を行うことができる。
【００６１】
また、上述において、演算器部７は、一定時間ｍ［ｓ］の間の遷移回数ｐ［回］をカウントして、このカウント回数が予め定められた一定の回数を上回ったとき、低階層放送受信状態から高階層放送受信状態への遷移のスレッシュホールドのａ＋ｂ［ｄＢ］のうちのｂ［ｄＢ］の値を大きくすると共に、低階層放送受信状態と高階層放送受信状態との間の遷移を示すスレッシュホールドのａ［ｄＢ］を下回った時間ｓ［ｓ］とスレッシュホールドのａ＋ｂ［ｄＢ］を上回った時間ｔ［ｓ］の時間的制約の値をそれぞれ大きくして、不揮発性メモリ８のパラメータ１１として記憶し、その後は新たに不揮発性メモリ８のパラメータ１１として記憶されたｂ［ｄＢ］のスレッシュホールドの値および時間ｓ［ｓ］および時間ｔ［ｓ］の時間的制約の値を用いて上述した遷移を判定するようにする。
【００６２】
これにより、デジタルテレビジョン放送受信機の出荷時に想定していなかったような大きなＣ／Ｎの変化があった場合や、他の場所と比較してＣ／Ｎの値の変化が比較的大きい設置場所に設置されたときにおいても、また緩やかに上下するＣ／Ｎの変化があった場合や、他の場所と比較してＣ／Ｎの値の変化が比較的緩やかに上下する設置場所に設置されたときにおいても、短時間に頻繁な低階層放送受信状態と高階層放送受信状態との間の遷移をより柔軟に抑制するようにすることができる。
【００６３】
図１２は、遷移するＣ／Ｎの値にヒステリシスと時間的な制約を持たせた場合の組み合わせの状態遷移を示す図である。
図１２において、例えば、遷移するＣ／Ｎにヒステリシスを設ける方法は、目的の遷移点を超えたときに即座に遷移するため、高階層放送受信状態１２１から低階層放送受信状態１２３へ遷移するときの遷移点ａ［ｄＢ］を１２２で示すように高階層放送受信状態１２１の受信限界近くまで下げ、高階層放送受信状態１２１から低階層放送受信状態１２３への遷移の時間的制約ｓ［ｓ］を１２２で示すように小さくすることにより、可能な限り高階層放送受信状態１２１を続けつつ、受信限界を下回ったときに生じるデコーダ部９によるデコードエラーを最小限にすることができる。
【００６４】
一方、低階層放送受信状態１２３から高階層放送受信状態１２１に移行するときは、低階層放送受信状態１２３から高階層放送受信状態１２１への遷移の時間的制約ｔ［ｓ］を１２４で示すように比較的長めに設けることにより、高階層放送受信状態１２１から低階層放送受信状態１２３への１２２で示す遷移点ａ［ｄＢ］と低階層放送受信状態１２３から高階層放送受信状態１２１への１２４で示す遷移点ａ＋ｂ［ｄＢ］との間のＣ／Ｎの値のヒステリシスと合わせて、十分に高階層放送が受信できるＣ／Ｎを確保した上で高階層放送受信状態１２１への遷移を実行することができる。
【００６５】
上述した実施の形態では、低階層放送受信状態と高階層放送受信状態の２階層放送受信状態の間の遷移について述べたが、これに限らず、低階層放送受信状態をさらに複数の階層に分けて、３階層以上の複数の階層に適用するようにしても良い。また、変調情報としてＣ／Ｎを用いたが、他の変調情報を用いても良い。
【００６６】
【発明の効果】
この発明の階層変調放送受信装置は、第１の遷移と第２の遷移の所定時間内の遷移回数に応じて、所定の条件を変更することにより、出荷時に想定していなかったような大きなＣ／Ｎの変化があった場合や、他の場所と比較してＣ／Ｎの値の変化が比較的大きい設置場所に設置されたときにおいても、また緩やかに上下するＣ／Ｎの変化があった場合や、他の場所と比較してＣ／Ｎの値の変化が比較的緩やかに上下する設置場所に設置されたときにおいても、短時間に頻繁な低階層放送受信状態と高階層放送受信状態との間の遷移をより柔軟に抑制することができるという効果を奏する。
【００６７】
また、この発明の階層変調放送受信装置は、設定されたＣ／Ｎの値を下回ったり上回ったりしたら直ちに遷移することが可能となり、高階層変調情報受信状態から低階層変調情報受信状態への遷移点となるＣ／Ｎの第１の値を比較的小さくして高階層変調情報受信状態の限界ぎりぎりに設定することにより、可能な限り高階層放送を視聴しつつ、再生手段のデコーダ部におけるデコードエラーが起きることによるユーザーの視聴できない時間を最低限に抑えることができるという効果を奏する。
【００６８】
また、この発明の階層変調放送受信装置は、ある時間の間にある回数以上の遷移が起こった場合に、高階層放送受信状態と低階層放送受信状態の遷移点のＣ／Ｎのヒステリシスを大きくし、そのヒステリシスを不揮発性メモリに記憶することにより、設計時に想定していた以上の天候の変化や設置状況によるＣ／Ｎの上下動の変化に対応することができるという効果を奏する。
【００６９】
また、この発明の階層変調放送受信装置は、高階層放送受信状態と低階層放送受信状態の切換を自動で行う際に、遷移させるタイミングを各階層への遷移時にそれぞれ変化させて、一定時間ｓ［ｓ］以上連続して遷移点を下回ったときに高階層変調情報受信状態から低階層変調情報受信状態へ遷移し、逆にｓ［ｓ］より長い一定時間ｔ［ｓ］以上連続して遷移点を上回ったときに低階層変調情報受信状態から高階層変調情報受信状態へ遷移することにより、一様でない天候の変化によるＣ／Ｎの変化に対して、ユーザーの視聴を妨げる短時間の頻繁な遷移を防ぐことができ、ごく短時間の間のＣ／Ｎの大きな上下動に対して有効となるという効果を奏する。
【００７０】
また、この発明の階層変調放送受信装置は、ある時間の間にある回数以上の遷移が起こった場合に、高階層放送受信状態と低階層放送受信状態の遷移点の第１の期間および第２の期間を長くし、その更新された第１の期間および第２の期間の値を不揮発性メモリに記憶することにより、天候の変化や設置状況によって設計時に想定したよりも単位時間あたりのＣ／Ｎの変化がより小さい場合に対応することができるという効果を奏する。
【図面の簡単な説明】
【図１】本実施の形態の階層変調放送受信装置が適用されるデジタルテレビジョン放送受信機の構成を示すブロック図である。
【図２】復調部の構成を示す図である。
【図３】デコーダ部の構成を示す図である。
【図４】ＤＥＭＵＸ（分離機部）の構成による動作を示す図である。
【図５】遷移するＣ／Ｎの値にヒステリシスを持たせた場合を示す図である。
【図６】遷移するＣ／Ｎの値にヒステリシスを持たせた場合の動作を示すフローチャートである。
【図７】高階層／低階層の受信の変化点にＣ／Ｎの値のヒステリシスを設ける場合を示す図である。
【図８】遷移に時間的な制約を持たせた場合を示す図である。
【図９】遷移に時間的な制約を持たせた場合の動作を示すフローチャートである。
【図１０】遷移するＣ／Ｎの値にヒステリシスと時間的な制約を持たせた場合の組み合わせを示す図である。
【図１１】遷移するＣ／Ｎの値にヒステリシスと時間的な制約を持たせた場合の組み合わせの動作を示すフローチャートである。
【図１２】遷移するＣ／Ｎの値にヒステリシスと時間的な制約を持たせた場合の組み合わせの状態遷移を示す図である。
【図１３】天候の変化とＣ／Ｎの値による遷移を示す図である。
【符号の説明】
１……デジタルテレビジョン放送受信機、２……アンテナ、３……ＬＮＢ、４……セットトップボックス、５……復調部、６……ＤＥＭＵＸ（分離機部）、７……演算器部、８……不揮発メモリ、９……デコーダ部、１０……階層変調遷移点生成部、１１……パラメータ、１２……モニター、１３……スピーカ、２１……チューナ、２２……高階層（ＴＣ８ＰＳＫ）復調部、２３……低階層（ＱＰＳＫ、ＢＰＳＫ）復調部、２４……復号部（ビタビ、デインターリーブ、ＲＳ）、２５……デスクランブラ、３１……高階層デコーダ部、３２……低階層デコーダ部、３３……ＭＰＥＧ映像デコーダ、３４……ＮＴＳＣ変換部、３５……ＭＰＥＧ音声デコーダ、３６……Ｄ／Ａコンバータ、３７……ＭＰＥＧ映像デコーダ、３８……ＮＴＳＣ変換部、３９……ＭＰＥＧ音声デコーダ、４０……Ｄ／Ａコンバータ、５１……遷移点、５２……遷移点、７１……高階層受信状態、７３、７４……低階層受信状態、８１……遷移点、８２……遷移点、１０１……遷移点、１０２……遷移点、１２１……高階層放送視聴状態、１２３……低階層放送視聴状態
【図１】
0004449206.tif 000002
【図２】
0004449206.tif 000003
【図３】
0004449206.tif 000004
【図４】
0004449206.tif 000005
【図５】
0004449206.tif 000006
【図６】
0004449206.tif 000007
【図７】
0004449206.tif 000008
【図８】
0004449206.tif 000009
【図９】
0004449206.tif 000010
【図１０】
0004449206.tif 000011
【図１１】
0004449206.tif 000012
【図１２】
0004449206.tif 000013
【図１３】
0004449206.tif 000014